(57)【要約】      （修正有）【課題】渦巻き洗浄の形成により、充填材に取り代わり、経済効果を向上し、より実用的に、産業上の利用価値を図る、一種渦巻き液体流または渦巻き燃焼流のダンパー組み合わせ構造を提供する。【解決手段】一種の渦巻き液体流または渦巻き燃焼流のダンパー組合せ構造に関わるものであり、水洗浄塔または薬剤洗浄塔もしくは高温燃焼塔に対応できる。主に塔内部の気体入口に流体誘導区域を設け、洗浄塔または渦巻き燃焼塔に導入された気体に接線加速度を形成した上、渦巻き流ダンパー組合せ構造を通過し、噴水、水撒きを経て、良質な渦巻き効果を発生するまたは燃焼塔のオイル噴射／ガス点火に良質な渦巻き効果を与える。本考案は主に様々なタイプのダンパーを交叉し平面に配列して塔体を仕切る。せき板とダンパーにより気体に負圧を形成し、水洗溶解率を向上し、または水薬剤洗浄を強化させ、洗浄塔内の滞留水を集中反応する。【選択図】図２
0003134132.tif 000002
【実用新案登録請求の範囲】
【請求項１】
洗浄塔または燃焼塔に使用できる一種の渦巻き液体流または渦巻き燃焼流ダンパー組合せ構造において、主に該ダンパー組合せ構造は“Ｕ型”ダンパーおよび／または“四角のＵ型”ダンパー（傾斜角の“開口のＵ型”ダンパーを含む）の組合せ、“Ｕ型”ダンパーと“Ｕ型”ダンパーの組合せ、“両側が膨らんでいるＵ型”ダンパーと“両側が膨らんでいるＵ型”ダンパーの組合せ、“両側が膨らんでいるＵ型”ダンパーおよび／または“小さい開口のＵ型”ダンパーの組合せ、“Ｕ型”ダンパーおよび／または“両手を伸ばした四角のＵ型”ダンパー（傾斜角の“両手を伸ばした開口のＵ型”ダンパーを含む）の組合せ、“折返し式の開口Ｕ型”ダンパーと“折返し式の開口Ｕ型”ダンパーの組合せ、“Ｕ型”ダンパーと“７型”ダンパーが傾斜方向段階状の組合せ、“両側が膨らんでいるＵ型”ダンパーと“傾斜式７型”ダンパーの傾斜方向段階状組合せの一つ以上の組合せ構造を有し、かつ、各組合せのうち、各種ダンパーは交叉配列し埋め込み、より合わせる。該ダンパー組合せ構造は、従来の充填材／管の代わりに設け、該ダンパー組合せ構造は一層のダンパー構造を形成し、燃焼塔に該ダンパー組合せ構造を斜面または平面に設置し、洗浄塔に該ダンパー組合せ構造を平面に設置し、平面または斜面に設けるダンパー組合結構を従来の充填材または燃焼室を取り代わり、そのうち、前記のダンパー組合結構に備えるダンパーは塔体中央部場所に、洗浄塔または燃焼塔を仕切り、塔の一端に気体入口を設け、他端にガス出口を設けるほか、塔のガス入り口に合せて誘導区域と誘導板を設けて、“Ｕ型”ダンパーまたは“両側が膨らんでいるＵ型”ダンパー、“両手を伸ばした四角のＵ型”ダンパー、“折返し式の開口Ｕ型”ダンパーのガスに渦巻きを形成し、塔内のガスの水洗／燃焼過程は渦巻き流の場所に集中して、渦巻き水洗／渦巻き燃焼流燃焼を形成し、塔の底部に水洗槽または燃焼室を設けて、高溶解率／燃焼率を実現する、渦巻き液体流または渦巻き燃焼流のダンパー組合せ構造。
【請求項２】
該“Ｕ型”ダンパーと“四角のＵ型”ダンパー（傾斜角の“開口のＵ型”ダンパーを含む）の組合せ、“Ｕ型”ダンパーと“両手を伸ばした四角のＵ型”ダンパー（傾斜角の“開口のＵ型”ダンパーを含む）の組合せ、および“両側が膨らんでいるＵ型”ダンパーと“小さい開口のＵ型”ダンパーの組合せを交叉して配列する。“四角のＵ型”または“両手を伸ばした四角のＵ型”ダンパーの開口部は風抜き面に面し、“Ｕ型”ダンパーの開口部は風当たり面に向かう構造により、交叉して埋め込み、より合わせて設ける。“小さい開口のＵ型”ダンパーの開口部は風抜き面に面し、“両側が膨らんでいるＵ型”ダンパーの開口部は風当たり面に向かう構造にて、交叉して埋め込み、より合わせて設けることを特徴とする請求項１記載の渦巻き液体流または渦巻き燃焼流のダンパー組合せ構造。
【請求項３】
該“Ｕ型”ダンパーと“四角のＵ型”ダンパー（傾斜角の“開口のＵ型”ダンパーを含む）の組合せ、“Ｕ型”ダンパーと“両手を伸ばした四角のＵ型”ダンパー（傾斜角の“開口のＵ型”ダンパーを含む）の組合せ、および“両側が膨らんでいるＵ型”ダンパーと“小さい開口のＵ型”ダンパーの組合せを交叉し配列した上、“Ｕ型”ダンパーの開口部は風抜き面に面し、“四角のＵ型”または“両手を伸ばした四角のＵ型”ダンパーの開口部は風当たり面に向かう構造により、交叉して埋め込み、より合わせて設ける。“両側が膨らんでいるＵ型”ダンパーの開口部は風抜き面に面し、“小さい開口のＵ型”ダンパーの開口部は風当たり面に向かう構造にて、交叉して埋め込み、より合わせて設けることを特徴とする請求項１記載の渦巻き液体流または渦巻き燃焼流のダンパー組合せ構造。
【請求項４】
該“Ｕ型”ダンパーと“四角のＵ型”ダンパー（傾斜角の“開口のＵ型”ダンパーを含む）の組合せ、“Ｕ型”ダンパーと“両手を伸ばした四角のＵ型”ダンパー（傾斜角の“両手を伸ばした開口のＵ型”ダンパーを含む）の組合せ、“Ｕ型”ダンパーと“７型”ダンパーを傾斜方向段階状の組合せ、“両側が膨らんでいるＵ型”ダンパーと“小さい開口のＵ型”ダンパーの組合せ、“両側が膨らんでいるＵ型”ダンパーと“傾斜式７型”ダンパーを傾斜方向段階状の組合せ、および“折返し式の開口Ｕ型”ダンパーと“折返し式の開口Ｕ型”ダンパーの組合せそれぞれの風当たり面にせき板を設け、該せき板は斜面ダンパーまたはアングルダンパーのいずれを用いることを特徴とする請求項１記載の渦巻き液体流または渦巻き燃焼流のダンパー組合せ構造。
【請求項５】
燃焼塔のダンパーは複数の水管壁または水壁板を組み合わせて構成し、ダンパーの風当たり面の側面に気体燃料または液体燃料を誘導するための点火器を設けることを特徴とする請求項１記載の渦巻き液体流または渦巻き燃焼流のダンパー組合せ構造。
【請求項６】
該“Ｕ型”ダンパーと“四角のＵ型”ダンパー（傾斜角の“開口のＵ型”ダンパーを含む）の組合せ、“Ｕ型”ダンパーと“両手を伸ばした四角のＵ型”ダンパー（傾斜角の“両手を伸ばした開口のＵ型”ダンパーを含む）の組合せ、“Ｕ型”ダンパーと“７型”ダンパーを傾斜方向段階状の組合せ、“両側が膨らんでいるＵ型”ダンパーと“小さい開口のＵ型”ダンパーの組合せ、“両側が膨らんでいるＵ型”ダンパーと“傾斜式７型”ダンパーを傾斜方向段階状の組合せ、および“折返し式の開口Ｕ型”ダンパーと“折返し式の開口Ｕ型”ダンパーの組合せは、密閉した渦巻き液体流を形成することにより、静態撹拌機となり、洗浄塔に設けるとき、風当たり面のダンパーに一つ以上の孔を設け、ダンパーと溶接板面の孔に導管を接続する。水を溢流ダンパーの溢流ダンパー縁の高さはほかのダンパーより低いことを特徴とする請求項１記載の渦巻き液体流または渦巻き燃焼流のダンパー組合せ構造。
【請求項７】
該“Ｕ型”ダンパーと“四角のＵ型”ダンパー（傾斜角の“開口のＵ型”ダンパーを含む）の組合せ、“Ｕ型”ダンパーと“両手を伸ばした四角のＵ型”ダンパー（傾斜角の“両手を伸ばした開口のＵ型”ダンパーを含む）の組合せ、“Ｕ型”ダンパーと“７型”ダンパーを傾斜方向段階状の組合せ、“両側が膨らんでいるＵ型”ダンパーと“小さい開口のＵ型”ダンパーの組合せ、“両側が膨らんでいるＵ型”ダンパーと“傾斜式７型”ダンパーを傾斜方向段階状の組合せ、および“折返し式の開口Ｕ型”ダンパーと“折返し式の開口Ｕ型”ダンパーの組合せ構造を燃焼塔または洗浄塔に設けるときは、交叉して配列し重ねて平面に取り付けるか、または複数の同じまたは異なるダンパー面を横方向に設置し、平行して重なって排列するか、または間隔を置いた平行に配列することを特徴とする請求項１記載の渦巻き液体流または渦巻き燃焼流のダンパー組合せ構造。
【請求項８】
“Ｕ型”ダンパーと“四角のＵ型”ダンパー（傾斜角の“開口のＵ型”ダンパーを含む）の組合せ、“Ｕ型”ダンパーと“Ｕ型”ダンパーの組合せ、“両側が膨らんでいるＵ型”ダンパーと“両側が膨らんでいるＵ型”ダンパー組合せ、“両側が膨らんでいるＵ型”ダンパーと“小さい開口のＵ型”ダンパー組合せ、“Ｕ型”ダンパーと“両手を伸ばした四角のＵ型”ダンパー（傾斜角の“両手を伸ばした開口のＵ型”ダンパーを含む）組合せ、“折返し式の開口Ｕ型”ダンパーと“折返し式の開口Ｕ型”ダンパー組合せのダンパーの開口部は向かい合わせて埋め込み方式により設けることを特徴とする請求項１記載の渦巻き液体流または渦巻き燃焼流のダンパー組合せ構造。
【請求項９】
燃焼塔において、気体燃焼のとき、ダンパー面の層燃焼となり、気体またはその他燃焼のとき、送付状態または中間部に一つまたは以上の先端部を密閉した複数の切欠き状を形成した煙突効果管により、上方に延焼することにより助燃する。液体または固体燃焼のとき、液体または固体を第２層または第３層の間に取り付け、層の間隔を大きく設けて、主燃焼室を形成し、負圧吸引の後、引き続きに第４層と第５層のダンパー区域に延焼することを特徴とする請求項１記載の渦巻き液体流または渦巻き燃焼流のダンパー組合せ構造。
【請求項１０】
該“Ｕ型”ダンパーと“四角のＵ型”ダンパー（傾斜角の“開口のＵ型”ダンパーを含む）の組み合わせ、“Ｕ型”ダンパーと“７型”ダンパーを傾斜方向段階状の組合せ、“Ｕ型”ダンパーと“両手を伸ばした四角のＵ型”ダンパー（傾斜角の“両手を伸ばした開口のＵ型”ダンパーを含む）の組合せ、“両側が膨らんでいるＵ型”ダンパーと“両側が膨らんでいるＵ型”ダンパーの組合せ、“両側が膨らんでいるＵ型”ダンパーと“傾斜式７型”ダンパーを傾斜方向段階状の組合せ、“両側が膨らんでいるＵ型”ダンパーと“小さい開口のＵ型”ダンパーの組合せ、“Ｕ型”ダンパーと“両手を伸ばした四角のＵ型”ダンパー（傾斜角の“両手を伸ばした開口のＵ型”ダンパーを含む）の組合せ、“Ｕ型”ダンパーと“Ｕ型”ダンパーの組合せ（傾斜面または縦置きを含まない）、“折返し式の開口Ｕ型”ダンパーと“折返し式の開口Ｕ型”ダンパーの組合せのダンパーを交叉し一体化により合わせた後のダンパーを平面、傾斜面または縦に取り付けたとき、多数の渦巻きによる集塵と油気分離機の働きを有し、平面取付のときは、渦巻き水流または液体流あるいは渦巻き燃焼流の働きを有することを特徴とする請求項１記載の渦巻き液体流または渦巻き燃焼流のダンパー組合せ構造。
【考案の詳細な説明】
【技術分野】
【０００１】
本考案は一種のダンパー構造、特に一種の特殊な流路誘導板とダンパーの組合せにより、気体に負圧効果を形成し、安定した水渦巻きまたは燃焼渦巻きを形成し続け分散しない。溶解、反応および濾過（または燃焼効率）における渦巻き液体流または渦巻き燃焼流を促進する構造により、水洗浄または薬剤洗浄あるいは高温燃焼塔に使用するダンパー構造に関わるものである。
【背景技術】
【０００２】
公知技術のダンパーは、気流制御に使用されている。また、渦巻き流の制御は気体制御しか使われていない。さらに、渦巻き水流または渦巻き液体流あるいは渦巻き燃焼流にダンパーを使用していない。特殊な渦巻き水流または渦巻き液体流あるいは渦巻き燃焼流による渦巻き洗浄塔または渦巻き燃焼塔の対応はいまのところ、見当たらない。
【考案の開示】
【考案が解決しようとする課題】
【０００３】
従来の空気（または燃焼空気体）を扱う機構は多くの種類が存在する。しかしながら、ベンチュリー洗浄のような小型または従来式の充填式洗浄（または従来式の熱管ボイラー）家庭内に使用するものがほとんどである。そこで、科学、染色、ペンキ塗装など大規模工場向けの空気溶解、濾過機構（または空気酸化構造）は、先進的な高溶解率方式（または高燃焼効率方式）はあまり使われていない。工場の敷地が広く、風量も大きいため、大量な有害気体を発生するため、従来式の洗浄機構は、溶解率が低いほか、塞がりやすいことから、大風量の工場には不向きである。なお、高い熱エネルギーを含まれた毒ガスの従来式の燃焼機構は、燃焼効率が悪いばかりでなく、塞がりやすいことから二次汚染がひどく、不完全燃焼など、大風量の工場には不向きである。
【０００４】
通常、大型工場に使用する洗浄塔の原理は、充填材（炙り環層など）を使用し、噴水および水撒きにより、空気と水を充填材に溶かせる。風量が大きいと、充填材の必要数は大きくなり、濾過を徐々に反応し効率の向上を図る。このため、膨大な設備容積のほか、敷地の購入コストは多額である。よって、従来式の充填材の効果はあまり顕著的ではない。水洗の溶解効率はおよそ６０％、さらに充填材に耐高温を必要の場合、その数が多いとき、コストが非常に高い、経済的な実用性に至らない。
【０００５】
さらに、公知技術の大型工場で使用する燃焼塔の原理は、燃焼室において、空気とオイルを噴射し、管材（水壁管）に反応した後、管材内部の熱湯を上記に変換して使用する。この種の技術は、風量が大きいとき、燃焼室の数が多く、塔の容積も大きくなる。しかし、燃焼効率を向上するため、緩やかに反応しなければならない。このため、設備と敷地の投資額が膨大になりかねない、水洗の溶解効率はおよそ６０％、さらに充填材に耐高温を必要の場合、その数が多いとき、コストが非常に高い、経済的な実用性に至らない。
【０００６】
前述した既存技術の洗浄塔と燃焼塔の欠点は、至急に改善の必要がある。よって、一種の構造改良の洗浄塔と燃焼塔を開発することは、業界が求める改善の目標である。
【０００７】
本考案人は公知技術の洗浄塔と燃焼塔の欠点を鑑みて、長年の経験および専業知識に基づき、学理を運用し、積極的に研究創造を努めて、一種の斬新構造の渦巻き液体流または渦巻き燃焼流のダンパー組合せ構造の開発を図る。研究、設計を重ねて、サンプル試作ならびに改善を繰り返した結果、豊富な実用価値の本考案を考案した。
【課題を解決するための手段】
【０００８】
渦巻き液体流または渦巻き液体流を形成しより実用的を図る、一種渦巻き液体流または渦巻き燃焼流のダンパー組み合わせ構造を提供することを本考案の主な目的とする。
【０００９】
渦巻き洗浄の形成により、充填材に取り代わり、または渦巻き燃焼の形成により、従来の燃焼室に取り代わることにより、経済効果を向上し、より実用的に、産業上の利用価値を図る、一種渦巻き液体流または渦巻き燃焼流のダンパー組み合わせ構造を提供することを本考案のもう一つの目的とする。
【００１０】
本考案の目的および解決方法は以下の技術によるものである。本考案の渦巻き液体流または渦巻き燃焼流のダンパー組合せ構造は、洗浄塔または燃焼塔に使用するものである。該ダンパー組み合わせ構造は、“Ｕ型”ダンパーおよび／または“四角のＵ型”ダンパー（傾斜角の“開口のＵ型”ダンパーを含む）の組み合わせ、“Ｕ型”ダンパーと“Ｕ型”ダンパーの組み合わせ、“両側が膨らんでいるＵ型”ダンパーと“両側が膨らんでいるＵ型”ダンパーの組み合わせ、“両側が膨らんでいるＵ型”ダンパーおよび／または“小さい開口のＵ型”ダンパーの組み合わせ、“Ｕ型”ダンパーおよび／または“両手を伸ばした四角のＵ型”ダンパー（傾斜角の“両手を伸ばした開口のＵ型”ダンパーを含む）の組み合わせ、“折返し式の開口Ｕ型”ダンパーと“折返し式の開口Ｕ型”ダンパーの組み合わせ、“Ｕ型”ダンパーと“７型”ダンパーが傾斜方向段階状の組合せ、“両側が膨らんでいるＵ型”ダンパーと“傾斜式７型”ダンパーが傾斜方向段階状の組合せのうち、一つ以上の組み合わせ構造。さらに、各組み合わせのダンパーは交叉し埋め込み、配列してより合わせる。前記のダンパー組み合わせ構造は、塔体中央部場所に、洗浄塔または燃焼塔を仕切り、塔の一端に気体入口を設け、他端にガス出口を設けるほか、塔のガス入り口に合せて誘導区域と誘導板を設けて、塔の底部に水洗槽または燃焼室を設ける。
【００１１】
洗浄塔または燃焼塔に使用できる一種の渦巻き液体流または渦巻き燃焼流ダンパー組合せ構造、主に該ダンパー組合せ構造は“Ｕ型”ダンパーおよび／または“四角のＵ型”ダンパー（傾斜角の“開口のＵ型”ダンパーを含む）の組合せ、“Ｕ型”ダンパー“Ｕ型”ダンパーの組合せ、“両側が膨らんでいるＵ型”ダンパーと“両側が膨らんでいるＵ型”ダンパーの組合せ、“両側が膨らんでいるＵ型”ダンパーおよび／または“小さい開口のＵ型”ダンパーの組合せ、“Ｕ型”ダンパーおよび／または“両手を伸ばした四角のＵ型”ダンパー（傾斜角の“両手を伸ばした開口のＵ型”ダンパーを含む）の組合せ、“折返し式の開口Ｕ型”ダンパーと“折返し式の開口Ｕ型”ダンパーの組合せ、“Ｕ型”ダンパーと“７型”ダンパーが傾斜方向段階状の組合せ、“両側が膨らんでいるＵ型”ダンパーと“傾斜式７型”ダンパーの傾斜方向段階状組合せの一つ以上の組合せ構造を有し、かつ、各組合せのうち、各種ダンパーは交叉配列し埋め込み、より合わせる。該ダンパー組合せ構造は、従来の充填材／管の代わりに設ける。該ダンパー組合せ構造は一層のダンパー構造を形成し、燃焼塔に該ダンパー組合せ構造を斜面または平面に設置し、洗浄塔に該ダンパー組合せ構造を平面に設置する。平面または斜面に設けるダンパー組合結構を従来の充填材または燃焼室を取り代わる。そのうち、前記のダンパー組合結構に備えるダンパーは塔体中央部場所に、洗浄塔または燃焼塔を仕切り、塔の一端に気体入口を設け、他端にガス出口を設けるほか、塔のガス入り口に合せて誘導区域と誘導板を設けて、“Ｕ型”ダンパーまたは“両側が膨らんでいるＵ型”ダンパー、“両手を伸ばした四角のＵ型”ダンパー、“折返し式の開口Ｕ型”ダンパーのガスに渦巻きを形成し、塔内のガスの水洗／燃焼過程は、渦巻き流の場所に集中して、渦巻き水洗／渦巻き燃焼流燃焼を形成する。なお、塔の底部に水洗槽または燃焼室を設けて、高溶解率／燃焼率を実現する。
【００１２】
該渦巻き液体流または渦巻き燃焼流のダンパー組合せ構造は、“Ｕ型”ダンパーと“四角のＵ型”ダンパー（傾斜角の“開口のＵ型”ダンパーを含む）の組合せ、“Ｕ型”ダンパーと“両手を伸ばした四角のＵ型”ダンパー（傾斜角の“開口のＵ型”ダンパーを含む）の組合せ、および“両側が膨らんでいるＵ型”ダンパーと“小さい開口のＵ型”ダンパーの組合せを交叉して配列する。“四角のＵ型”または“両手を伸ばした四角のＵ型”ダンパーの開口部は風抜き面に面し、“Ｕ型”ダンパーの開口部は風当たり面に向かう構造により、交叉して埋め込み、より合わせて設ける。“小さい開口のＵ型”ダンパーの開口部は風抜き面に面し、“両側が膨らんでいるＵ型”ダンパーの開口部は風当たり面に向かう構造にて、交叉して埋め込み、より合わせて設ける特徴を有する。
【００１３】
該渦巻き液体流または渦巻き燃焼流のダンパー組合せ構造は、“Ｕ型”ダンパーと“四角のＵ型”ダンパー（傾斜角の“開口のＵ型”ダンパーを含む）の組合せ、“Ｕ型”ダンパーと“両手を伸ばした四角のＵ型”ダンパー（傾斜角の“開口のＵ型”ダンパーを含む）の組合せ、および“両側が膨らんでいるＵ型”ダンパーと“小さい開口のＵ型”ダンパーの組合せを交叉して配列する。“四角のＵ型”または“両手を伸ばした四角のＵ型”ダンパーの開口部は風抜き面に面し、“Ｕ型”ダンパーの開口部は風抜き面に向かう構造により、交叉して埋め込み、より合わせて設ける。“両側が膨らんでいるＵ型”ダンパーの開口部は風抜き面に面し、“小さい開口のＵ型”ダンパーの開口部は風当たり面に向かう構造にて、交叉して埋め込み、より合わせて設ける特徴を有する。
【００１４】
該渦巻き液体流または渦巻き燃焼流のダンパー組合せ構造は、“Ｕ型”ダンパーと”四角のＵ型”ダンパー（傾斜角の“開口のＵ型”ダンパーを含む）の組合せ、“Ｕ型”ダンパーと“両手を伸ばした四角のＵ型”ダンパー（傾斜角の“両手を伸ばした開口のＵ型”ダンパーを含む）の組合せ、“Ｕ型”ダンパーと“７型”ダンパーを傾斜方向段階状の組合せ、“両側が膨らんでいるＵ型”ダンパーと“小さい開口のＵ型”ダンパーの組合せ、“両側が膨らんでいるＵ型”ダンパーと“傾斜式７型”ダンパーを傾斜方向段階状の組合せ、および“折返し式の開口Ｕ型”ダンパーと“折返し式の開口Ｕ型”ダンパーの組合せそれぞれの風当たり面にせき板を設け、該せき板は斜面ダンパーまたはアングルダンパーのいずれを用いる特徴を有する。
【００１５】
前記の渦巻き液体流または渦巻き燃焼流のダンパー組合せ構造は、燃焼塔のダンパーは複数の水管壁または水壁板を組み合わせて構成し、ダンパーの風当たり面の側面に気体燃料または液体燃料を誘導するための点火器を設けることを特徴とする。
【００１６】
該渦巻き液体流または渦巻き燃焼流のダンパー組合せ構造は、“Ｕ型”ダンパーと“四角のＵ型”ダンパー（傾斜角の“開口のＵ型”ダンパーを含む）の組合せ、“Ｕ型”ダンパーと“両手を伸ばした四角のＵ型”ダンパー（傾斜角の“両手を伸ばした開口のＵ型”ダンパーを含む）の組合せ、“Ｕ型”ダンパーと“７型”ダンパーを傾斜方向段階状の組合せ、“両側が膨らんでいるＵ型”ダンパーと“小さい開口のＵ型”ダンパーの組合せ、“両側が膨らんでいるＵ型”ダンパーと“傾斜式７型”ダンパーを傾斜方向段階状の組合せ、および“折返し式の開口Ｕ型”ダンパーと“折返し式の開口Ｕ型”ダンパーの組合せは、密閉した渦巻き液体流を形成することにより、静態撹拌機となり、洗浄塔に設けるとき、風当たり面のダンパーに一つ以上の孔を設け、ダンパーと溶接板面の孔に導管を接続する。水を溢流ダンパーの溢流ダンパー縁の高さはほかのダンパーより低いことを特徴とする。
【００１７】
該渦巻き液体流または渦巻き燃焼流のダンパー組合せ構造は、“Ｕ型”前記のダンパーと“四角のＵ型”ダンパー（傾斜角の“開口のＵ型”ダンパーを含む）の組合せ、“Ｕ型”ダンパーと“両手を伸ばした四角のＵ型”ダンパー（傾斜角の“両手を伸ばした開口のＵ型”ダンパーを含む）の組合せ、“Ｕ型”ダンパーと“７型”ダンパーを傾斜方向段階状の組合せ、“両側が膨らんでいるＵ型”ダンパーと“小さい開口のＵ型”ダンパーの組合せ、“両側が膨らんでいるＵ型”ダンパーと“傾斜式７型”ダンパーを傾斜方向段階状の組合せ、および“折返し式の開口Ｕ型”ダンパーと“折返し式の開口Ｕ型”ダンパーの組合せ構造を燃焼塔または洗浄塔に設けるとき、交叉し配列し平面に取り付けるか、または複数の同じまたは異なるダンパー面を横方向に設置し、平行して重なって排列するか、または間隔を置いた平行に配列する特徴を有する。
【００１８】
前記の渦巻き液体流または渦巻き燃焼流のダンパー組合せ構造は、“Ｕ型”ダンパーと“四角のＵ型”ダンパー（傾斜角の“開口のＵ型”ダンパー）の組合せ、“Ｕ型”ダンパーと“Ｕ型”ダンパーの組合せ、“両側が膨らんでいるＵ型”ダンパーと“両側が膨らんでいるＵ型”ダンパー組合せ、“両側が膨らんでいるＵ型”ダンパーと“小さい開口のＵ型”ダンパー組合せ、“Ｕ型”ダンパーと“両手を伸ばした四角のＵ型”ダンパー（傾斜角の“両手を伸ばした開口のＵ型”ダンパー）組合せ、“折返し式の開口Ｕ型”ダンパーと“折返し式の開口Ｕ型”ダンパー組合せのダンパーの開口部は向かい合わせて埋め込み特徴を有する。
【００１９】
前記の渦巻き液体流または渦巻き燃焼流のダンパー組合せ構造は、燃焼塔において、気体燃焼のとき、ダンパー面の層燃焼となり、気体またはその他燃焼のとき、送付状態または中間部に一つまたは以上の先端部を密閉した複数の切欠き状を形成した煙突効果管により、上方に延焼することにより助燃する。液体または固体燃焼のとき、液体または固体を第２層または第３層の間に取り付け、層の間隔を大きく設けて、主燃焼室を形成し、負圧吸引の後、引き続きに第４層と第５層のダンパー区域に延焼の特徴を有する。
【００２０】
前記の渦巻き液体流または渦巻き燃焼流のダンパー組合せ構造は、“Ｕ型”ダンパーと“四角のＵ型”ダンパー（傾斜角の“開口のＵ型”ダンパーを含む）の組み合わせ、“Ｕ型”ダンパーと“７型”ダンパーを傾斜方向段階状の組合せ、“Ｕ型”ダンパーと“両手を伸ばした四角のＵ型”ダンパー（傾斜角の“両手を伸ばした開口のＵ型”ダンパーを含む）の組合せ、“両側が膨らんでいるＵ型”ダンパーと“両側が膨らんでいるＵ型”ダンパーの組合せ、“両側が膨らんでいるＵ型”ダンパーと“傾斜式７型"ダンパーを傾斜方向段階状の組合せ、“両側が膨らんでいるＵ型”ダンパーと“小さい開口のＵ型”ダンパーの組合せ、“Ｕ型”ダンパーと“両手を伸ばした四角のＵ型”ダンパー（傾斜角の“両手を伸ばした開口のＵ型”ダンパーを含む）の組合せ、“Ｕ型”ダンパーと“Ｕ型”ダンパーの組合せ（傾斜面または縦置きを含まない）、“折返し式の開口Ｕ型”ダンパーと“折返し式の開口Ｕ型”ダンパーの組合せのダンパーを交叉し一体化により合わせた後のダンパーを平面、傾斜面または縦に取り付けたとき、多数の渦巻きによる集塵と油気分離機の働きを有し、平面取付のときは、渦巻き水流または液体流あるいは渦巻き燃焼流の働きを特徴とする。
【００２１】
本考案の主な技術内容を以下のとおり説明する。本考案のダンパー組み合わせ構造を従来の充填材方式の洗浄塔に設けるとき、“四角のＵ型”または“両手を伸ばした四角のＵ型”ダンパーおよび“Ｕ型”ダンパー、あるいは“Ｕ型”ダンパーと“Ｕ型”ダンパーを向かい合わせて交叉しより合わせる。もしくは“両側が膨らんでいるＵ型”ダンパーと“小さい開口のＵ型”ダンパー、または“両側が膨らんでいるＵ型”ダンパーと“両側が膨らんでいるＵ型”ダンパー、あるいは“両手を伸ばした四角のＵ型”ダンパー、または“四角のＵ型”ダンパー、もしくは“折返し式の開口Ｕ型”ダンパーをより合わせた後、平面に取り付けて、従来の充填材に代わる。気体は原則として、ダンパー面に垂直する方向を通過することにより、渦巻き洗浄を実現する。この改良した水洗または薬剤洗浄方式は、耐高温の渦巻き燃焼塔に対応できる。さらに、従来の充填材に代わるとき、“四角のＵ型”ダンパーの角度はすべて直角にし、気体の風当たり面より形成する渦巻きは不規則状態にし、風抜き面に取り付ける。これにより、風抜き面はすぐ乾き、乱流は発生しないため、“Ｕ型”ダンパーを省略しておく、“四角のＵ型”ダンパーまたは“両手を伸ばした四角のＵ型”ダンパー、あるいは新型の気流誘導機能を有するダンパーまたは気流誘導機能を有するダンパーを使用し、“Ｕ型”ダンパーとより合わせて、気体の水滴を“Ｕ型”ダンパーの濾過器の底部に集中させる。同じ現象で“両側が膨らんでいるＵ型”ダンパーは“小さい開口のＵ型”ダンパーと組み合わせる。その原理は、“四角のＵ型”ダンパーの開口部を風抜き面（“Ｕ型”または“四角のＵ型”の凹み面）に設け、“Ｕ型”ダンパーの開口部を風当たり面（Ｕ型または四角のＵ型型の突起面）に設けてより合わせることにより、“Ｕ型”ダンパーを通過する気体に渦巻きを形成し、気体の水洗を渦巻き部に集中させる。一方、“四角のＵ型”ダンパーはすべて直角に設け、風抜き面に置くと、渦巻きを形成しにくい、風抜きは順調に行える。“Ｕ型”ダンパーを風当たり面に設けて、リズムを持った渦巻きを形成するため、乱流を発生しない。この構造により、気体の水洗を“Ｕ型”ダンパー濾過器に集中させ、特に水洗による細かい凝縮物など、高溶解率の洗浄塔を実現し、従来式の充填材洗浄に比べて、数倍の溶解率を向上できる。
【００２２】
一種のダンパー組み合わせ構造により、渦巻き洗浄を形成し、改良された水洗または薬剤洗浄は、高温洗浄塔に対応できる。主に、密閉した洗浄塔の一端に空気入口を設け、他端に空気出口を設ける。洗浄塔内部の空気入口場所に、気流誘導区域を設け、洗浄塔に流入した気体に直線加速度を発生させ渦巻き板に送り、噴水と水撒きを経て、渦巻き水と良質な渦巻き効果を作り上げる。洗浄塔の底部はさらに、集水槽を設け、洗浄塔の中央部の適切場所に、複数の気流誘導するためのダンパーを平面に取り付けて、洗浄塔を仕切る。ダンパーの外側にせき板を設け、気流は（風当たり面）を均一に、ダンパー表面は９０度傾斜状ダンパーまたはアングル状ダンパーの隙間を通過させる。速度差を利用し、負圧を発生する。その隙間は比重が気体より大きい汚物の収集効果を有する。この種の渦巻きによる集塵、油気分離機の再改良は、せき板と渦巻きダンパーを用いて負圧を発生させ、水洗溶解率の向上または薬剤洗浄効果の集中反応効率の強化を図り、洗浄塔内に均一にとどまるほか、渦巻き板内部の渦巻き水流により、よい効果を与える渦巻きを安定に形成し、分散しにくいため、溶解、反応および濾過効率を向上できる。
【００２３】
一種のダンパー組み合わせ構造において、気体水洗を渦巻き部に集中させ、渦巻き水流を形成し、該“Ｕ型”ダンパーまたは“両側が膨らんでいるＵ型”ダンパーの内側に大量な波動水を集中することにより、空気と水と逆流するとき、“Ｕ型”ダンパー内部に備える孔は、空気と水が“Ｕ型”ダンパー面の隙間を通過した後、孔により排水を安定に行えて、かつ、ふさがりにくいである。
【００２４】
気流の接線加速度は小さい渦巻きダンパーにぶつかり、小さな水洗渦巻き気流を形成する。一方、大きい渦巻き洗浄の圧力が大きくなり、小さな渦巻きの洗浄は圧力が小さいため、小さい渦巻き洗浄圧力を用いると、空気動力の圧損を軽減できる。大きい渦巻きは大きい汚染物を溶解し、小さな水洗渦巻きにより、より微小な汚染物をより素早く溶解できる。この種の多くの渦巻きを形成する水洗塔は、小さい抵抗力、高溶解度、高速度の水洗塔である。渦巻き液体流のもう一つの形態は、渦巻き板を密閉した容器に横方向に設けるとき、静態生態攪拌機に変わり、異なる液体物を渦巻き板に送られて攪拌し、水流により、進入した液体は渦巻き流により、混合攪拌を行い、静態攪拌の目的を実現する。前記は、他のダンパーにおいても同じ現象を発生する。
【００２５】
ダンパー組み合わせ構造を従来式の燃焼塔に設けるとき、“Ｕ型”ダンパーと“Ｕ型”ダンパー、または“両側が膨らんでいるＵ型”ダンパーと“両側が膨らんでいるＵ型”ダンパー，或者“四角のＵ型”ダンパーと“Ｕ型”ダンパー、または“Ｕ型”ダンパーと“両手を伸ばした四角のＵ型”ダンパー、または“両側が膨らんでいるＵ型”ダンパーと“小さい開口のＵ型”ダンパー、または“両手を伸ばした四角のＵ型”ダンパー、または“四角のＵ型”ダンパー、または“折返し式の開口Ｕ型”ダンパーを向かい合わせて交叉しより合わせて、平面に取り付け、従来式の燃焼室に取り代わる。この種のダンパーは、複数の管（水壁管）より水壁または水壁板より構成し、気体を通過させ、渦巻き燃焼を形成する。この種の改良型気体燃焼または噴射燃焼の完全燃焼を実現する燃焼機構は、高温渦巻き燃焼塔に応用することにより、従来式の燃焼室に取り代わることができる。“Ｕ型”または“両側が膨らんでいるＵ型”ダンパーすべての角度は円形切込角のため、気体の風当たり面の渦巻き流はリズムを持った自転状態を形成し、気体の水滴を“Ｕ型”または“両側が膨らんでいるＵ型”ダンパー濾過器の底部に集中する。その原理は、“Ｕ型”ダンパーまたは“両側が膨らんでいるＵ型”ダンパーを交叉配列した上、層ごとに重ねる。同じく、“Ｕ型”または“両側が膨らんでいるＵ型”ダンパーの開口部を向かい合わせて、あるいは“Ｕ型”または“両側が膨らんでいるＵ型”ダンパーの開口部を対面層に向かい、“Ｕ型”または“両側が膨らんでいるＵ型”ダンパーを向かい合わせて取り付けて、１枚に接続して燃焼室を形成し、“Ｕ型”または“両側が膨らんでいるＵ型”ダンパーを通過する気体に渦巻き流を発生させ、気体燃焼を渦巻き部に集中する。ダンパーは円形切込角状のため、渦巻き流を容易に形成し、送風は調に行うことにより、“Ｕ型”または“両側が膨らんでいるＵ型”ダンパーを風当たり面に設けて、リズムを持った渦巻き流を形成し、乱流を発生することなく、対面層に導入し、気体燃焼をダンパー濾過器内部に集中できる。特に、燃焼による微細な凝集物は、直線方向にてその円周に導入された旋風と冷熱交換は自転を強化して、延焼を拡大し、火花、はいじんは周りに飛散し、燃焼の勢いを増強することにより、各層を経て均一に燃焼し、高燃焼効率の燃焼塔を実現する。これに対して、従来式の燃焼塔は燃焼室一つしか設けていないため、複数倍の燃焼効率は増強できない。
【００２６】
よって、本考案は一種の渦巻き燃焼のダンパー組み合わせ構造を提供し、改良された気体燃焼または噴射燃焼の完全燃焼機構は、高温燃焼塔に対応できる一種の未曾有の複数の渦巻き燃焼塔である。主に、密閉した洗浄塔に空気入口を設け、他端に空気出口を設ける。燃焼塔内部の空気入口場所に合わせて誘導区域を設け、誘導板により渦巻き板を燃焼室の代わりに使用し、燃焼塔に進入した気体に直線方向の加速度を形成し、渦巻き板に送り、オイル噴射および助燃材を撒き、渦巻き板に良い燃焼効果を与えるほか、ダンパーの内側に大量な波動燃焼渦巻きを形成できる。さらに、燃焼等の底部にフロアーを設け、燃焼塔中央部の適切場所に本考案の気流方向に沿った交叉配列したダンパーを平面に取り付けて、仕切りを作る。前記の渦巻き燃焼は、該“Ｕ型”ダンパーと“四角のＵ型”ダンパーまたは“両側が膨らんでいるＵ型”ダンパーと“小さい開口のＵ型”ダンパーを交叉配列し平面に取り付けて、層ごとに重ねておく、“Ｕ型”または“両側が膨らんでいるＵ型”ダンパーの開口部を向かい合わせるか、あるいは“Ｕ型”もしくは“両側が膨らんでいるＵ型”ダンパーの開口部を対面層“四角のＵ型”、または“小さい開口のＵ型”ダンパーの開口部を向かい合わせて取り付け、接続して一体化した燃焼室を形成する。前記の層間燃焼は、液体または固体燃焼のとき、液体または固体を第２層または第３層の間に取り付け、層の間隔を大きく設けて、主燃焼室を形成し、負圧吸引の後、引き続きに第４層と第５層のさらなる下層区域に延焼して、二次燃焼室とする。ダンパー側に点火器を設け、この種の多渦巻き燃焼塔は、気流誘導板とダンパーを設け、気体の速度差により負圧を発生させ、燃焼効率の向上または燃焼効率を集中するほか、燃焼渦巻き板内部の渦巻き燃焼により、良質な渦巻き安定に形成し、完全燃焼を図り分散しにくい。さらに、複数回の渦巻き回転により、滞留時間を増やし、完全燃焼、反応エネルギー効果を増強できる。
【００２７】
気流の接線加速度は多くの渦巻きダンパーにぶつかり、小さな燃焼渦巻き気流を形成する。一方、大きい渦巻き燃焼の圧力が大きくなり、小さな渦巻きの燃焼は圧力が小さいため、小さい渦巻き燃焼圧力を用いると、空気動力の圧損を軽減できる。大きい渦巻きは大きい汚染物を燃焼し、小さい渦巻きは微小な汚染物をより速い速度で燃焼できる。よって、この種の小さい渦巻き燃焼塔は、滞留時間が短く、燃焼度の高い、高速燃焼の燃焼塔を実現する。前記は、他のダンパーにおいても同じ現象を発生する。
【００２８】
さらに、“四角のＵ型”ダンパーと“Ｕ型”ダンパー、または“Ｕ型”ダンパーと“両手を伸ばした四角のＵ型”ダンパー、あるいは“両側が膨らんでいるＵ型”ダンパーと“両側が膨らんでいるＵ型”ダンパー、もしくは“両側が膨らんでいるＵ型”ダンパーと“小さい開口のＵ型”ダンパー、または“両手を伸ばした四角のＵ型”ダンパー、あるいは“折返し式の開口Ｕ型”ダンパーとより合わせた後、１枚ずつ縦または傾斜状に取り付けることにより、多渦巻きの集塵、油気分離機の機能を実現する。本考案は平面に取り付けて、渦巻き洗浄塔または渦巻き燃焼塔の機能を発生する。前記は、他のダンパーにおいても同じ現象を発生する。
【００２９】
本考案による一種の渦巻き液体流または渦巻き燃焼流のダンパー組合せ構造は、水洗浄塔または薬剤洗浄塔もしくは高温燃焼塔に対応できる。主に塔内部の気体入口に流体誘導区域を設け、洗浄塔または渦巻き燃焼塔に導入する気体に接線加速度を形成した上、渦巻き流ダンパー組合せ構造を通過し、噴水、水撒きを経て、良質な渦巻き効果を発生するまたは燃焼塔のオイル噴射／ガス点火に良質な渦巻き効果を与える。本考案は主に様々なタイプのダンパーを交叉し平面に配列して塔体を仕切る。せき板とダンパーによりガス体に負圧を形成し、水洗溶解率の向上、または水薬剤洗浄を強化させ、洗浄塔内の滞留水を集中反応する。さらに、渦巻き板の渦巻き水／燃焼流により、渦巻きの安定性を増やし分散せず、洗浄塔の溶解、反応および濾過効率を向上し、燃焼流の完全燃焼を図り、反応ならびにエネルギー効率を向上する。
【考案の効果】
【００３０】
前記した技術手段により、本考案の渦巻き液体流または渦巻き燃焼流のダンパー組合せ構造は、以下他の長所を有する。
（１）  公知技術の充填材方式の洗浄塔に対して、同じ風量条件において、必要な濾過面積が小さいほか、体積は従来式洗浄塔３分の１または６分の１に縮小できる。本考案を渦巻き洗浄塔に応用するとき、風速は３〜１０m/sを上回り、その容積も小さくなる。
（２）  従来の充填材方式の洗浄塔に対して、本考案のダンパー組み合わせ構造は、洗浄塔に応用したとき、設備の体積と敷地のコストははるかに小さい。
（３）  従来の充填材方式の洗浄塔に対して、本考案のダンパー組み合わせ構造は、溶解、反応および濾過効率は、２〜３倍の向上を実現できる。
（４）  従来の充填材方式の洗浄塔に対して、本考案のダンパー組み合わせ構造は、洗浄塔の高温渦巻き洗浄に応用するとき、充填材の代わりにダンパーをより合わせて設けることにより、高温の渦巻き洗浄に対応できるほか、同じ高温条件において、渦巻き洗浄を行い、そのコストは非常に低いである。
（５）  従来の充填材方式の洗浄塔に対して、本考案のダンパー組み合わせ構造は、ダンパーをより合わせて接続することにより、可塑性が大きくなり、風量、気体の溶解度、風速、圧力、濾過面積により、ダンパーサイズ並びにより合わせる間隔を設計して、所要効果を実現する。
（６）  従来の充填材方式の洗浄塔に対して、本考案のダンパー組み合わせ構造は、ダンパーをより合わせて接続することにより、風速が速くなるため、所要効果を実現する。
（７）  従来の充填材方式の洗浄塔に対して、本考案のダンパー組み合わせ構造は、ダンパーをより合わせて接続することにより、風圧は小さくできる。従来の充填材方式の洗浄塔に同等か、またはより小さくできる。
（８）  従来の燃焼方式の燃焼塔に対して、同じ風量条件において、必要な燃焼面積が小さい、体積も従来式燃焼塔の３分の１または６分の１に縮小できる。このため、本考案のダンパー組み合わせ構造を燃焼塔に使用するとき、風速は３ｍ／ｓを向上でき、体積も小さくできる。
（９）  従来の燃焼室方式の燃焼塔に対して、本考案のダンパー組み合わせ構造は、燃焼塔に応用したとき、設備の体積と敷地のコストははるかに小さい。
（１０）  従来の燃焼室方式の燃焼塔に対して、本考案のダンパー組み合わせ構造は、燃焼塔に応用したとき、燃焼、反応効率は２〜３倍を向上し、燃焼滞留時間は従来式燃焼塔より短く、かつ、完全燃焼を実現できる。
（１１）  従来の燃焼室方式の燃焼塔に対して、本考案のダンパー組み合わせ構造は、燃焼塔に応用したとき、ダンパーをより合わせて、燃焼室に取り代わる。高温対応の渦巻き燃焼を実現し、同じ高温条件において、渦巻き燃焼塔のコストははるかに小さい。
（１２）  従来の燃焼方式の燃焼塔に対して、本考案のダンパー組み合わせ構造は、燃焼塔に応用し、ダンパーをより合わせて接続することにより、可塑性が大きくなり、風量、気体の溶解度、風速、圧力、燃焼面積により、ダンパーサイズ並びにより合わせる間隔を設計して、所要効果を実現する。
（１３）  従来の燃焼室方式の燃焼塔に対して、本考案のダンパー組み合わせ構造は、燃焼塔に応用したとき、ダンパーをより合わせることにより、風速は素早く所定効果に達することができる。従来式の燃焼室の風速は緩やかでなければならない。
（１４）  従来の燃焼室方式の燃焼塔に対して、本考案のダンパー組み合わせ構造は、燃焼塔に応用したとき、ダンパーをより合わせて接続するため、従来式燃焼塔と同じ風圧より実現できる。
（１５）  従来の燃焼室方式の燃焼塔に対して、本考案をボイラーに使用するとき、過熱器を取り代わることができる。従来の燃焼室の燃焼塔に比べて、設備点数を減少し、エネルギー消費を節約できる。
前記した説明のとおり、本考案の渦巻き液体流または渦巻き燃焼流のダンパー組合せ構造により、渦巻き液体または渦巻き燃焼流を形成し、充填材または古いタイプの燃焼室に代ることができる。本考案の製品構造および機能の大きい改善により、技術の大きい進歩があるほか、良好な使用性と実用効果を融資、産業に幅広い利用価値を有する。
【実施例】
【００３１】
本考案のダンパー組み合わせ構造は、新式の洗浄塔のほか、従来式の燃焼塔に設けて、充填材に取り代わることができる。すべての形状のダンパーは金属製である。このほか、本考案において、“両側が膨らんでいるＵ型”、“小さい開口のＵ型”、“両手を伸ばした四角のＵ型”、“開口のＵ型”、“両手を伸ばした開口のＵ型”、“折返し式の開口Ｕ型”いずれのものは、一体化成形構造であり、具体的な形状は付帯の図式を参照する。ただし、本考案のダンパー形状は前記の符号により、制限されないものとする。
【００３２】
図２から図５、図１０、図１３、および図６から図９、図１１、図１２図１４、図１５に示すものは、本考案のダンパー組み合わせ構造により、渦巻き液体流を形成する洗浄塔である。
【００３３】
該新式の洗浄塔は、水洗、薬剤洗浄、高温対応の密閉式洗浄塔であり、該洗浄塔構造において、密閉式洗浄塔１０の一端に空気入口１１を設け、他端に空気出口１２を設ける。洗浄塔１０内部の空気入口１１の場所付近部に合わせて調節弁と流路誘導板１４を設け、流量調節および洗浄塔１０に進入する気体は加速度を形成し、渦巻き効果のダンパー組み合わせ構造に導入して、噴水、水撒きを経て、渦巻き水流に良質な渦巻き効果を発生する。洗浄塔の底部はさらに、水洗槽１３を設け、洗浄塔１０中央部の適切場所に若干数の交叉配列したダンパー面２０（図２から図５、および図１０を合わせて参照）を設ける。そのうち、ダンパー面２０は下記した各種ダンパー形状を組み合わせて、ダンパー面を構成する。図６から図９および図１１、図１２、図１４、図１５に示すダンパー面２０は、“四角のＵ型”ダンパー２１の二つの直角部を角取り加工により“Ｕ型”ダンパー２２を形成し、該“Ｕ型”ダンパー２２すべての角度は９０度のダンパー面より大きい。または複数の角を曲げた“Ｕ型”ダンパー２２、あるいは二つの裁断し合わせた、二つの円形周りの接線より構成する“Ｕ型”ダンパー２２を形成する。該ダンパーを互いに埋め込みする隙間は、該二つの円径に対して、０.４５〜０.６５倍のダンパー面、または“両側が膨らんでいるＵ型”ダンパー１９の面に当たる。ダンパー面２０は塔体において、横方向に設けて、洗浄塔を仕切る。気体を前記のダンパーに導入するとき、気流のぶつかりを避けるため、“四角のＵ型”ダンパー２１の開口部を風抜き面に設け、“Ｕ型”ダンパー２２の開口部を風当たり面に設けて、交叉し埋め込み接続する。または“小さい開口のＵ型”ダンパー１８の開口部を風抜き面に設け、“両側が膨らんでいるＵ型”ダンパー１９の開口部を風当たり面に設けて、交叉し埋め込み接続する。あるいは前記のダンパー２２とダンパー２２を向かい合わせて交叉し埋め込み接続する。もしくは前記のダンパー１９とダンパー１９を向かい合わせて交叉し埋め込み接続する。前記の構造により、“Ｕ型”ダンパー２２または“両側が膨らんでいるＵ型”ダンパー１９を通過する気体に渦巻き流を形成し、気体水洗を渦巻き部に集中して行い、リズム的に水気流を誘導し渦巻き効果を発生し、溶解率を向上するため、図６から図９と図１１、図１２、図１４、図１５に示すとおり、多辺形のダンパー２１、２２、１８、１９はそれぞれ向かい合わせて接続したダンパー面２０を形成する。ダンパー２１とダンパー２２、またはダンパー２２とダンパー２２、あるいはダンパー１８とダンパー１９、もしくはダンパー１９とダンパー１９との隙間は、調節制御可能である。さらに、接続されたダンパー面２０を横方向に設け、濾過反応層を形成し、従来式の洗浄塔の充填材に代わる。ダンパー面２０の外側に若干数のせき板を設け、該せき板は傾斜状ダンパー１５とアングル状ダンパー１６を有する。そのうち、傾斜状ダンパー１５の角度は９０度以下に設け、該傾斜状ダンパー１５またはアングル状ダンパー１６をダンパー面２０に溶接固定した上、二つのダンパー２１、２１、またはダンパー２２、２２、あるいはダンパー１８、１８、もしくはダンパー１９、１９の間に、気流はダンパー���２０外側（すなわち、風当たり面）に備える傾斜状ダンパー１５またはアングル状ダンパー１６の隙間を順調に通過させる。速度差を利用し、負圧を発生させる。この隙間において、大比重の汚物を集めて、水洗物へ徐々に混ぜ合わせる。このほか、ダンパー２２またはダンパー１９の内側に大量な波動水を集めて、気流を導入したとき、渦巻きダンパー組み合わせ構造は、渦巻き誘導流路構造を形成し、上から水に落ちて行く。渦巻き誘導構造外部の水位より高く設け、高低水位の波動並びに流路誘導隙間の急気流により、液相溶解効果を発生する。この種の流路誘導は、ベンチュリー洗滌効果があるため、高溶解率効果を発生する。なお、係止め板２３１は渦巻きの安定効果を有する。該ダンパー２２またはダンパー１９内側に大量な波動水を集めることにより、空気と水と逆流するとき、ダンパー２２またはダンパー１９に備える若干数の孔２３を含めて、ダンパーと溶接板面の孔を接続導管２３２に接続し導通する。なお、水を溢流するためのダンパー縁の高さは通常のダンパーより低く設け、溢流ダンパー０１は気水をダンパー面２０の隙間を通過した後、孔２３により排水の安定を維持し、ふさがりにくい。図式における符号４３、４４、４５、４６のダンパーは、前記のダンパーの原理と同様のため、説明を省略する。
【００３４】
本考案において、各種ダンパーは空気入口１１側を風当たり面とし、空気出口１２側を風抜き面とする。ダンパー面外側に設ける各種ダンパーの開口部を風当たり面に設けると、気体より形成する渦巻き流に不規律な流動状態を引き起こすため、ダンパー面外側に設ける各種ダンパーの開口部を風抜き面に設けて、乱流を防止する。同時，與上述開口向抽風面側的当板相互交叉嵌入紐接結合的当板設為開口相迎風面側，利用切線加速度使氣流在開口向迎風面側的当板中産生旋渦，故本發明的当板組合結構是以上述原理為依據，形成有多層的当板組合結構，且該当板組合結構的層數並不加以限制，而凡具有上述特徴從而産生旋渦/旋渦的結構皆為本發明的当板組合結構的範圍。
【００３５】
図２と図３、図６、図７、図８、図１３、図１４に示すとおり、洗浄塔１０内部の流路誘導板１４は気体を誘導し、上部の空気入口より導入された気体は流路誘導板１４、傾斜状ダンパー１５またはアングル状ダンパー１６、ダンパー面２０、ダンパー２２またはダンパー１９を経て、気液を融合し、密度の大きい汚物は、ダンパー２２またはダンパー１９の隙間に引き止められるか、水洗槽１３に落として、最後に気液を融合し、濾過された清浄空気を空気出口１２より排出する。図式における符号４３、４４、４５、４６のダンパーは、前記のダンパーの原理と同様のため、説明を省略する。
【００３６】
図４、図５、図６、図７、図８、図９、１０図、図１１、図１２、図１５に示すとおり、空気は側面の空気入口１１より導入された後、以下の経路誘導板にぶつかり、水洗槽１３に進入するとき、第１回の接触により、粉塵、化学塵埃または物質およびその他顆粒の大きい塵埃を水洗槽１３に引き止められる。図４に示すとおり、気流がダンパー２０に進入したとき、９０度以上の角度により、気流に第２回の複数の渦巻きを形成する。そして、気流がダンパー２２またはダンパー１９の場所に来たとき、波動水の阻止により、より多くの気体と液体の融合を行う。一方、融合しない気体を水に滞留し溶解させる。図式における符号４３、４４、４５、４６のダンパーは、前記のダンパーの原理と同様のため、説明を省略する。
【００３７】
本考案は図２から図５、および図１０、図１３に示すとおり、より多くの水洗効果を得るため、洗浄塔１０頂部の横方向に設けたダンパー面の上部または下部に流路誘導板１４を設け、洗浄塔１０に進入した気体に接線加速度を発生させる。さらに、本考案の底部に水洗槽１３、水ポンプ３０を合わせて設ける。水ポンプ３０より水洗槽１３の水をくみ上げて、上部より噴水、水撒きを経て、空気と水の溶解反応を引き起す。ブロアー４０により、気体を上部から下部へ、または側面から上部に流動させる。冷熱空気と水交換により、溶解気体を水に滞留し溶解させる。その上、渦巻きによる牽引力より、気体のさらなるの溶解を行う。図式における符号４３、４４、４５、４６のダンパーは、前記のダンパーの原理と同様のため、説明を省略する。
【００３８】
前記の横方向に設けるダンパー面は、複数または異なるダンパー面を重ねて平行に配列するか、あるいは間隔を置いて、横方向に設けて、気液の溶融効果の顕著化を図る。図式における符号４３、４４、４５、４６のダンパーは、前記のダンパーの原理と同様のため、説明を省略する。
【００３９】
本考案によるダンパー組み合わせ構造は、従来の充填材方式の洗浄塔に使用するとき、そのダンパーの組み合わせ及び形状、機能は前記に同様のため、説明を省略する。該ダンパー組み合わせ構造は、層ごとに横方向に設け、従来式の充填材（炙り環層など）に代わる。気体と気流はその層のダンパー面より、垂直方向に通過し、ダンパー組み合わせ構造において、渦巻きを形成し、気体または気流に対して、渦巻き洗浄を行う。この種のダンパー組み合わせ構造を設けた洗浄塔は、水洗、薬剤洗浄の高温対応の洗浄塔として応用できる。
【００４０】
図１６から図２０、図２１から図２４に示すものは、本考案によるダンパー組み合わせ構造を渦巻き燃焼流の燃焼塔の実施例である。そのうち、前記のダンパー組み合わせ構造を洗浄塔に設ける構造、機能などの同様な部分は説明を省略する。なお、洗浄塔に設けるダンパー組み合わせ構造は燃焼塔にも適用できる。その逆も同様である。
【００４１】
密閉した燃焼塔９の一端に空気入口１１を設け、他端に空気出口１２を設ける。燃焼塔９内部の空気入口１１場所付近部に、調節弁と気流誘導板１４を設け、流量調節および燃焼塔９に進入した気体に直線加速度を形成する。燃焼塔９の底部にブロアー４０を設け、燃焼塔９中央部適切場所に若干数の交叉配列したダンパーより、横方向に設けるダンパー面２０（図１６から図２０）を構成し、図６から図９、図１１、図１２、図１４、図１５に示すダンパー面２０のダンパーは、複数の水壁管または水壁板より構成し、燃焼塔９を仕切る。“四角のＵ型”ダンパー２１二つの直角を角取り加工し、“Ｕ型”ダンパー２２を形成し、該“Ｕ型”ダンパー２２すべての角度は９０度を上回る。あるいは二つの裁断し合わせた、二つの円形周りの接線より構成する“Ｕ型”ダンパー２２または“両側が膨らんでいるＵ型”ダンパー１９を形成する。気体をダンパーに導入するとき、気流のぶつかりを避けるため、“四角のＵ型”ダンパー２１、または“小さい開口のＵ型”ダンパー１８を開口部の風抜き面に設け、“Ｕ型”ダンパー２２または“両側が膨らんでいるＵ型”ダンパー１９を開口部の風当たり面に設け、交叉してより合わせる。あるいはダンパー２２とダンパー２２、ダンパー１９とダンパー１９を向かい合わせて交叉しより合わせることにより、“Ｕ型”ダンパー２２または“両側が膨らんでいるＵ型”ダンパー１９を通過する気体に渦巻き流を形成し、気体燃焼を渦巻き部に集中させ、リズム的に燃焼気流を誘導し、渦巻き効果を形成する。図６から図９、図１１、図１２、図１４、図１５に示すとおり、多辺形のダンパー２１、２２またはダンパー１８、１９は向かい合わせて、ダンパー面２０を形成する。ダンパー２１とダンパー２２、ダンパー１８とダンパー１９またはダンパー２２とダンパー２２、ダンパー１９とダンパー１９の隙間は調節制御可能である。つなぎ合わせたダンパー面を横方向に設けて渦巻き反応層を構成し、従来の燃焼等の燃焼室に取り代わる。ダンパー面２０の風当たり面に若干数の点火器１７場所を設け、該点火器１７に気体燃焼、液体燃料または固体燃料を導入し、気流を均一にダンパー２１とダンパー２１、ダンパー１８とダンパー１８、ダンパー２２とダンパー２２、ダンパー１９とダンパー１９の間のダンパー面２０風当たり面の隙間に導入する。速度差を利用し負圧を発生させる。該隙間は溜まり気流を引き止めた上、気流を素早く燃焼空気に混ぜ込み、燃焼反応後の残留気体を再度集めて、渦巻きを形成するダンパー組み合わせ構造により形成した渦巻き板にて渦巻き燃焼を行い、複数回の渦巻き気流の滞留時間により、均一な完全燃焼を実現する。このほか、ダンパー面２２または１９の内側に大量な燃焼波動を集めることにより、燃焼気流を導入したとき、渦巻き板より構成する渦巻き気流誘導構造は、上部から下部へ燃焼し、その燃焼レベルは渦巻き気流誘導構造の外部燃料より高レベルである。高低燃焼レベルによる波動と気流誘導空間の急気流が融合効果を形成する。この種の気流誘導は燃焼効果を促し高燃焼効率を実現する。該ダンパー２２またはダンパー１９の内側に大量な燃焼波動を集めることにより、空気と燃焼逆流のとき、滞留時間の延長効果がある。多数の水管壁（または水壁板）２４より、若干数のダンパー２２またはダンパー１９内部に設けた隙間は燃焼気流がダンパー面２０の隙間を通過し、この隙間により、排気を安定に維持し、ふさがりにくい。図式における符号４３、４４、４５、４６のダンパーは、前記のダンパーの原理と同様のため、説明を省略する。
【００４２】
図２０に示す本考案の実施例において、符号９に示すものは、垂直燃焼式のボイラーである。主に複数のレベルに重ねて配列した、前記のダンパー面２０より構成する。水管壁または水壁板２４より構成するダンパー面よりボイラーダンパー空間２７を形成し、マルチ点火器１７の炎を収容する。マルチ点火器１７をボイラーダンパー空間２７入口に取り付けて、ボイラー９の空気入口１１に備える風管または圧力ブロアー４１に設けることが好ましい。マルチ点火器１７は燃焼するとき、燃料をボイラー９ダンパー空間２７に送り込む。前記のボイラー９は新しい設計により、複数の水管壁（または水壁板）２４を設け、燃焼排気はボイラーダンパー空間２７に沿って、渦巻きに上部へ移動した後、下部１８０度角を通過し、さらに下部へ１列のダンパー空間２７より構成するボイラー管（ダンパー空間２７）に移動し、サイクロンの熱風は冷熱空気交換原理により、多数の水管壁（または水壁板）２４に働く、この段階において、水管壁（またはダンパー空間２７）は熱交換が行われ、燃焼排気はボイラーにより急冷却させる。この種のボイラー管は放射状に上部と下部の蒸気ドラムの間に接続する。燃焼排気は、その後空気出口１２と煙突を経て、この単元を離れる。強制送風ブロアー４１は必需な流速燃焼の空気を提供するほか、静圧を提供して、ボイラー燃焼排気システムの抵抗力を克服し、燃焼気体を煙突より外部へ排出させる。水管板（または水管壁）２４の数と径、ダンパー形状、配列方式、間隔及び使用材料は、流体流動と熱伝達関係により、業界の馴染み部材を選択し、必要な水／水蒸気側の圧降下並びに煙道より熱吸収し、燃焼によるＮＯｘを最小限に抑制する。図式における部品４３、４４、４５、４６のダンパーは、前記のダンパーの原理と同様のため、説明を省略する。
【００４３】
内部の空気流動するためのダンパー管組み合わせた多数の水管壁（または水壁板）２４をダンパー面２０とし、空気を上の層または下の層に送る。前記の空気流動ダンパー管の組み合わせ構造体に備える水壁板（または水管壁）２４と空気圧力は隙間により、圧力ブロアー４１に導入し、提供された空気をボイラーダンパー空間２７に送り、制限燃焼による熱解放速度はＮｏｘの形成を最小限に抑制できるほか、一層を空いた（二次燃焼室）のボイラーダンパー空間２７は、引き続きに燃焼し、一酸化炭素を燃え尽きる。図式における部品４３、４４、４５、４６のダンパーは、前記のダンパーの原理と同様のため、説明を省略する。
【００４４】
図１６、図１７、図１５、図１１に示すとおり、空気は下部に設けた送風ブロアー４１に接続した空気入口１１より導入した後、気流誘導板により係止めて、気流誘導板に沿って、槽底部の主燃焼室２８に進入したとき、第１回の接触燃焼を引き起し、重い顆粒状物質を槽の底部に集中することにより、気体燃焼２５効率を向上できる。さらに、図１５、図１１に示すとおり、気流がダンパー面２０の間に来たとき、９０度（円形切込角）の角度変化を引き起こして、燃焼気流に第２回の多数の小さい渦巻きを発生する。燃焼気流がダンパー２２またはダンパー１９に来たとき、波動炎の阻止により、より多くの燃焼気体と炎が融合し、燃えにくい気体を完全燃焼する。図式における部品４３、４４、４５、４６のダンパーは、前記のダンパーの原理と同様のため、説明を省略する。
【００４５】
図１８、図１９、図６、図１４を合わせて参照する。燃焼塔９内部の気流誘導板により空気を誘導し、上部の空気入口１１から進入した気体は、ダンパー面２０、ダンパー２２、ダンパー１９を経て、気体と炎が融合し、液体燃料または固体燃料２６を主燃焼室２８において燃焼する。炎は上部に上り、風は下部へ急速に吹き込み、互いに衝撃することにより、滞留時間を延長する。上昇する温かい気流は急速に降下して行く冷空気とぶつかり、強い対流を構成し、炎の拡散速度が速いほど、延焼速度も速くなる。下部各層のダンパー面より構成するダンパー空間２７内部において、渦巻き燃焼により、二次燃焼室２９を構成する。そのうち、大きい炎はダンパー２２、ダンパー１９の隙間に滞留される。最後に、燃焼気体と炎を融合して、完全燃焼された空気を風抜きブロアー４２に接続した空気出口１２より排出する。本考案は、多層のダンパー組み合わせ構造を連結し燃焼室を構成し、層燃焼を形成する。気体または他の燃料を燃焼するとき、送風状態または中間部に一つまたは以上の上部先端を密閉した複数の切欠き状の煙突効果管４７により上部に延焼し助燃する。液体燃料または固体燃料を燃焼するとき、液体または固体を第２層または第３層の間において層の間隔を大きく設けて、主燃焼室を形成し、負圧吸引の後、引き続きに第４層と第５層または第５層と第６層に延焼し、二次燃焼室とする。ダンパー側に点火器を設け、この種の多渦巻き燃焼塔は、気流誘導板とダンパーを設け、気体の速度差により負圧を発生させ、燃焼効率の向上または燃焼効率を集中するほか、燃焼渦巻き板内部の渦巻き燃焼により、完全燃焼を図り分散しにくい。完全燃焼、反応エネルギー効果を増強できる。図式における部品４３、４４、４５、４６のダンパーは、前記のダンパーの原理と同様のため、説明を省略する。
【００４６】
さらに、図１６と図１７から図１９を合わせて参照する。より良い燃焼降下を図るため、本考案は燃焼塔９場所において、横方向に設けたダンパー面２０の上部または下部に流路誘導板１４を設け、進入した気体に接線加速度を発生させる。なお、底部は底部槽を設け、重い顆粒状物質を底部槽に集中する。燃料ポンプはタンクより燃料を汲み上げて、ダンパー面２０にオイル噴射を行い、空気とオイルを反応させる。ブロアー４０は気体を上部から下部へ、または側面から上部に送り、サイクロンの熱風により、冷熱空気交換効果を多数の水管壁（または水壁板）２４に応用し、冷熱空気を対流することにより、滞留した燃焼気体を燃焼するほか、渦巻き牽引力により、気体の均一燃焼を実現する。図式における部品４３、４４、４５、４６のダンパーは、前記のダンパーの原理と同様のため、説明を省略する。
【００４７】
前記の横方向に設けたダンパー面２０は複数のダンパー面２０を並列して重ねて横方向に設け、多数のダンパー面２０よりダンパー空間２７を構成し、気体と液体の燃焼を顕著化させる。ダンパー組み合わせ構造は図２３と図２４に示すとおり、“Ｕ型”ダンパーと“７型”ダンパー、または“両側が膨らんでいるＵ型”ダンパーと“傾斜式７型”ダンパーを交叉配列し、階段状のダンパー組み合わせ構造を構成する。該ダンパー組み合わせ構造の機能、用途は他のダンパー構造と同じく、各種ダンパーの組み合わせにより、渦巻き燃焼または渦巻き洗浄を形成する。
【００４８】
本考案のダンパー組み合わせ構造は、“四角のＵ型”ダンパーと“Ｕ型”ダンパーの組み合わせ、または“Ｕ型”ダンパーと“両手を伸ばした四角のＵ型”ダンパーの組み合わせ、あるいは“両側が膨らんでいるＵ型”ダンパーと“両側が膨らんでいるＵ型”ダンパーの組み合わせ、もしくは“両側が膨らんでいるＵ型”ダンパーと“小さい開口のＵ型”ダンパーの組み合わせ、または“両手を伸ばした四角のＵ型”ダンパーの組み合わせ、あるいは“四角のＵ型”ダンパーの組み合わせ、または“折返し式の開口Ｕ型”ダンパーの組み合わせは、交叉しより合わせた上、ダンパー面を縦に取り付けまたは傾斜に取り付けることにより、多数の渦巻きによる集塵、油気分離機の機能を有する。この種の変化により、平面に取り付けるとき、渦巻き水流または液体流を備えた洗浄塔あるいは燃焼塔とも本考案に含まれる。
【００４９】
前記に説明したとおり、本考案によるダンパー組み合わせ構造は、風当たり面に備えたダンパーより、リズム的な渦巻き流を回転し、気体や液滴を“Ｕ型”または“両側が膨らんでいるＵ型”ダンパーの底部に滴下させる。本考案は“Ｕ型”ダンパーまたは“両側が膨らんでいるＵ型”ダンパーを交叉配列し、一層のダンパー組み合わせ構造を形成した上、層ごとに重ねて行く、“Ｕ型”ダンパーまたは“両側が膨らんでいるＵ型”ダンパーの開口部を向かい合わせて設ける。または“Ｕ型”ダンパーあるいは“両側が膨らんでいるＵ型”ダンパーの開口部を対面層のダンパー組み合わせ構造の“Ｕ型”ダンパーまたは“両側が膨らんでいるＵ型”ダンパーの開口部を向かい合わせて設けて、１枚のダンパー空間２７を形成し、“Ｕ型”ダンパーまたは“両側が膨らんでいるＵ型”ダンパーを通過する気体に渦巻きを形成し、気体洗浄/燃焼をこの渦巻き部に集中させる。なお、ダンパーすべての角度は円形切込角のため、渦巻きを容易に形成できる。“Ｕ型”ダンパーまたは“両側が膨らんでいるＵ型”ダンパーの開口部を風当たり面に設け、形成された渦巻きはリズム的発生する。気流はその層のダンパーを通過した後、次の層のダンパー組み合わせ構造において、乱流を発生しない。気体洗浄/燃焼をダンパー組み合わせ構造に集中できる。本考案その他のダンパー組み合わせ構造と原理とも前記説明したものと同様に、向かい合わせて交叉し設けるほか、風当たり面の開口部に渦巻きを形成する。特に、燃焼塔において、微量物を凝集し、円周の直線方向にて切り込むサイクロンと冷熱空気交換効果により回転を強化するほか、延焼を拡大し、火花、はいじんを周りに拡散させ、燃焼の勢いを増強し、各層にて増強することにより、高燃焼効率の燃焼塔を実現する。
【００５０】
本考案によるダンパー組み合わせ構造は、洗浄塔に取り付けることにより、従来の洗浄方式の欠点を改善し、気体と液体を融合し溶解効率を向上し、低い抵抗力、高い溶解率の効果が得られる。一方、本考案によるダンパー組み合わせ構造は、燃焼塔に取り付けることにより、従来の燃焼器の欠点を改善し、気体と液体と炎との燃焼効率を増強し、低滞留時間、高燃焼効率を実現できる。
【図面の簡単な説明】
【００５１】
【図１】従来の充填材を用いた洗浄等の正視概略図である。
【図２】本考案の“四角のＵ型”ダンパーと“Ｕ型”ダンパーとより合わせて、渦巻き洗浄塔に設け、風抜き状態の正視概略図である。
【図３】本考案の誘導板とせき板を設け、風抜き状態の正視概略図である。
【図４】本考案の“四角のＵ型”ダンパーと“Ｕ型”ダンパーとより合わせて、渦巻き洗浄塔に設け、送風状態の正視概略図である。
【図５】本考案のダンパー組み合わせ構造に、誘導板とせき板を設け、送風状態の正視概略図である。
【図６】本考案の“四角のＵ型”ダンパーと“Ｕ型”ダンパーをより合わせた正視概略図である。
【図７】本考案の“四角のＵ型”ダンパーと“Ｕ型”ダンパーをより合わせて、傾斜状ダンパーに溶接された正視概略図である。
【図８】本考案の“四角のＵ型”ダンパーと“Ｕ型”ダンパーをより合わせて、アングル状ダンパーに溶接された正視概略図である。
【図９】本考案の複数の“Ｕ型”ダンパーをより合わせて、傾斜状ダンパーに溶接された正視概略図である。
【図１０】本考案の複数の“両側が膨らんでいるＵ型”ダンパーをより合わせて、渦巻き洗浄塔に取り付けた後の正視概略図である。
【図１１】本考案の複数の“両側が膨らんでいるＵ型”ダンパーをより合わせた正視概略図である。
【図１２】本考案の複数の“両側が膨らんでいるＵ型”ダンパーをより合わせて、傾斜状ダンパーに溶接された正視概略図である。
【図１３】本考案の“両側が膨らんでいるＵ型”ダンパーと“小さい開口のＵ型”ダンパーをより合わせて、風抜き状態の正視概略図である。
【図１４】本考案の複数の“両側が膨らんでいるＵ型”ダンパーと“小さい開口のＵ型”ダンパーをより合わせた正視概略図である。
【図１５】本考案の“四角のＵ型”ダンパーと“Ｕ型”ダンパーをより合わせた正視概略図である。
【図１６】本考案の“両側が膨らんでいるＵ型”ダンパーと“小さい開口のＵ型”ダンパーをより合わせて、渦巻き燃焼塔における送風状態の正視概略図である。
【図１７】本考案の“Ｕ型”ダンパーと“Ｕ型”ダンパーとより合わせて、渦巻き燃焼塔に設け、送風状態の正視概略図である。
【図１８】本考案の“Ｕ型”ダンパーと“四角のＵ型”ダンパーとより合わせて、渦巻き燃焼塔に設け、風抜き状態の正視概略図である。
【図１９】本考案の“両側が膨らんでいるＵ型”ダンパーと“小さい開口のＵ型”ダンパーとより合わせて、渦巻き燃焼塔に設け、風抜き状態の正視概略図である。
【図２０】本考案の“両側が膨らんでいるＵ型”ダンパーと“両側が膨らんでいるＵ型”ダンパーをより合わせて、渦巻き燃焼塔（ボイラー）に取り付けた正視概略図である。
【図２１】本考案の“両手を伸ばした四角のＵ型”ダンパーと“Ｕ型”ダンパーをより合わせた平面概略図である。
【図２２】本考案の“折返し式の開口Ｕ型”ダンパーと“折返し式の開口Ｕ型”ダンパーをより合わせた平面概略図である。
【図２３】本考案の“Ｕ型”ダンパーと“７型”ダンパーを台形に配列し、より合わせた概略図である。
【図２４】本考案の“両側が膨らんでいるＵ型”ダンパーと“傾斜式７型”ダンパーを（台形に配列し）、より合わせた平面正視概略図である。
【符号の説明】
【００５２】
９  燃焼塔
１０  洗浄塔
０１  溢流ダンパー
１１  空気入口
１２  空気出口
１３  水洗槽
１４  誘導板
１５  傾斜状ダンパー
１６  アングル状ダンパー
１７  点火器
１８  “小さい開口のＵ型“ダンパー
１９  “両側が膨らんでいるＵ型”ダンパー
２０  ダンパー面
２１  “四角のＵ型”ダンパー（または“開口のＵ型”ダンパー）
２２  “Ｕ型”ダンパー
２３  孔
２３１  係止め板
２３２  接続導管
２４  水管壁／水壁板
２５  きたい燃料
２６  液体燃料または固体燃料
２７  ダンパー空間
２８  主燃焼室
２９  二次燃焼室
３０  水ポンプ
４０  ブロアー
４１  送風ブロアー
４２  風抜きブロアー
４３  “両手を伸ばした四角のＵ型”ダンパー（または“両手を伸ばした開口のＵ型”ダンパー）
４４  “折返し式の開口Ｕ型”ダンパー
４５  “７型”ダンパー
４６  “傾斜式７型”ダンパー
４７  煙突効果管
【図１】
0003134132.tif 000003
【図２】
0003134132.tif 000004
【図３】
0003134132.tif 000005
【図４】
0003134132.tif 000006
【図５】
0003134132.tif 000007
【図６】
0003134132.tif 000008
【図７】
0003134132.tif 000009
【図８】
0003134132.tif 000010
【図９】
0003134132.tif 000011
【図１０】
0003134132.tif 000012
【図１１】
0003134132.tif 000013
【図１２】
0003134132.tif 000014
【図１３】
0003134132.tif 000015
【図１４】
0003134132.tif 000016
【図１５】
0003134132.tif 000017
【図１６】
0003134132.tif 000018
【図１７】
0003134132.tif 000019
【図１８】
0003134132.tif 000020
【図１９】
0003134132.tif 000021
【図２０】
0003134132.tif 000022
【図２１】
0003134132.tif 000023
【図２２】
0003134132.tif 000024
【図２３】
0003134132.tif 000025
【図２４】
0003134132.tif 000026
【手続補正書】
【提出日】平成18年9月8日(2006.9.8)
【手続補正１】
【補正対象書類名】実用新案登録請求の範囲
【補正対象項目名】全文
【補正方法】変更
【補正の内容】
【実用新案登録請求の範囲】
【請求項１】
洗浄塔または燃焼塔に使用できる一種の渦巻き液体流または渦巻き燃焼流のダンパー組合せ構造において、主にダンパー組合せ構造の上の部分は凹型を逆に置いた形を有し、ダンパーと下の部分は凹型をし、かつ、ダンパーは交叉配列し埋め込み、ダンパー組合せ構造には一層のダンパー構造を形成し、ダンパー組合せ構造に備えるダンパーは塔体中央部に設け、洗浄塔または燃焼塔を仕切り、塔の一端に気体入口を設け、他端にガス出口を設け、塔のガス入り口に合せて誘導区域と誘導板を設け、ダンパーのガスに渦巻きを形成し、塔内のガスの水洗／燃焼過程は渦巻き流の場所に集中して、渦巻き水洗／渦巻き燃焼流燃焼を形成し、塔の底部に水洗槽または燃焼室を設けて、高溶解率／燃焼率を実現する、渦巻き液体流または渦巻き燃焼流のダンパー組合せ構造。
【請求項２】
凹型をしたダンパーは四角のＵ型またはＵ型をしていることを特徴とする請求項１記載の渦巻き液体流または渦巻き燃焼流のダンパー組合せ構造。
【請求項３】
凹型をしたダンパーは両手を伸ばした四角のＵ型または両手を伸ばした開口のＵ型をしていることを特徴とする請求項１記載の渦巻き液体流または渦巻き燃焼流のダンパー組合せ構造。
【請求項４】
凹型をしたダンパーは開口のＵ型または小さい開口のＵ型をしていることを特徴とする請求項１記載の渦巻き液体流または渦巻き燃焼流のダンパー組合せ構造。
【請求項５】
凹型をしたダンパーは両側が膨らんでいるＵ型をしていることを特徴とする請求項１記載の渦巻き液体流または渦巻き燃焼流のダンパー組合せ構造。
【請求項６】
凹型をしたダンパーは折返し式の開口Ｕ型をしていることを特徴とする請求項１記載の渦巻き液体流または渦巻き燃焼流のダンパー組合せ構造。
【請求項７】
凹型をしたダンパーは７型または斜７型をしていることを特徴とする請求項１記載の渦巻き液体流または渦巻き燃焼流のダンパー組合せ構造。
【請求項８】
燃焼塔のダンパーは複数の水管壁または水壁板またはダンパーを組み合わせて構成していることを特徴とする請求項１記載の渦巻き液体流または渦巻き燃焼流のダンパー組合せ構造。
【請求項９】
密閉した渦巻き液体流を形成することにより、静態撹拌機としていることを特徴とする請求項１記載の渦巻き液体流または渦巻き燃焼流のダンパー組合せ構造。
【請求項１０】
ダンパーを交叉し一体化した後のダンパーを平面、傾斜面または縦に取り付けたとき、多数の渦巻きによる集塵と油気分離機の働きを有し（“Ｕ型”ダンパーと“Ｕ型”ダンパーの組合せ傾斜面または縦置きを含まない）、平面または傾斜面に取付けたときは、渦巻き水流または液体流あるいは渦巻き燃焼流の働きを有することを特徴とする請求項１記載の渦巻き液体流または渦巻き燃焼流のダンパー組合せ構造。
【手続補正書】
【提出日】平成18年9月15日(2006.9.15)
【手続補正１】
【補正対象書類名】実用新案登録請求の範囲
【補正対象項目名】全文
【補正方法】変更
【補正の内容】
【実用新案登録請求の範囲】
【請求項１】
洗浄塔または燃焼塔に使用できる一種の渦巻き液体流または渦巻き燃焼流のダンパー組合せ構造において、主にダンパー組合せ構造の上の部分は凹型を逆に置いた形を有し、ダンパーと下の部分は凹型をしており、かつ、ダンパーは交叉配列し埋め込み、ダンパー組合せ構造には一層のダンパー構造を形成し、ダンパー組合せ構造に備えるダンパーは塔体中央部に設け、洗浄塔または燃焼塔を仕切り、塔の一端に気体入口を設け、他端にガス出口を設け、塔のガス入り口に合せて誘導区域と誘導板を設け、ダンパーのガスに渦巻きを形成し、塔内のガスの水洗／燃焼過程は渦巻き流の場所に集中して、渦巻き水洗／渦巻き燃焼流燃焼を形成し、塔の底部に水洗槽または燃焼室を設けて、高溶解率／燃焼率を実現する、渦巻き液体流または渦巻き燃焼流のダンパー組合せ構造。
【請求項２】
凹型をしたダンパーは四角のＵ型またはＵ型をしていることを特徴とする請求項１記載の渦巻き液体流または渦巻き燃焼流のダンパー組合せ構造。
【請求項３】
凹型をしたダンパーは両手を伸ばした四角のＵ型または両手を伸ばした開口のＵ型をしていることを特徴とする請求項１記載の渦巻き液体流または渦巻き燃焼流のダンパー組合せ構造。
【請求項４】
凹型をしたダンパーは開口のＵ型または小さい開口のＵ型をしていることを特徴とする請求項１記載の渦巻き液体流または渦巻き燃焼流のダンパー組合せ構造。
【請求項５】
凹型をしたダンパーは両側が膨らんでいるＵ型をしていることを特徴とする請求項１記載の渦巻き液体流または渦巻き燃焼流のダンパー組合せ構造。
【請求項６】
凹型をしたダンパーは折返し式の開口Ｕ型をしていることを特徴とする請求項１記載の渦巻き液体流または渦巻き燃焼流のダンパー組合せ構造。
【請求項７】
凹型をしたダンパーは７型または斜７型をしていることを特徴とする請求項１記載の渦巻き液体流または渦巻き燃焼流のダンパー組合せ構造。
【請求項８】
燃焼塔のダンパーは複数の水管壁または水壁板またはダンパーを組み合わせて構成していることを特徴とする請求項１記載の渦巻き液体流または渦巻き燃焼流のダンパー組合せ構造。
【請求項９】
密閉した渦巻き液体流を形成することにより、静態撹拌機としていることを特徴とする請求項１記載の渦巻き液体流または渦巻き燃焼流のダンパー組合せ構造。
【請求項１０】
ダンパーを交叉し一体化した後のダンパーを平面、傾斜面または縦に取り付けたとき、多数の渦巻きによる集塵と油気分離機の働きを有し（“Ｕ型”ダンパーと“Ｕ型”ダンパーの組合せ傾斜面または縦置きを含まない）、平面または傾斜面に取付けたときは、渦巻き水流または液体流あるいは渦巻き燃焼流の働きを有することを特徴とする請求項１記載の渦巻き液体流または渦巻き燃焼流のダンパー組合せ構造。
【手続補正書】
【提出日】平成18年12月12日(2006.12.12)
【手続補正１】
【補正対象書類名】実用新案登録請求の範囲
【補正対象項目名】全文
【補正方法】変更
【補正の内容】
【実用新案登録請求の範囲】
【請求項１】
洗浄塔または燃焼塔に使用できる一種の渦巻き液体流または渦巻き燃焼流のダンパー組合せ構造において、主にダンパー組合せ構造の上の部分は凹型を逆に置いた形を有し、ダンパーと下の部分は凹型をしており、かつ、ダンパーは交叉配列し埋め込み、ダンパー組合せ構造には一層のダンパー構造を形成し、ダンパー組合せ構造に備えるダンパーは塔体中央部に設け、洗浄塔または燃焼塔を仕切り、塔の一端に気体入口を設け、他端にガス出口を設け、塔のガス入り口に合せて誘導区域と誘導板を設け、ダンパーのガスに渦巻きを形成し、塔内のガスの水洗／燃焼過程は渦巻き流の場所に集中して、渦巻き水洗／渦巻き燃焼流燃焼を形成し、塔の底部に水洗槽または燃焼室を設けて、高溶解率／燃焼率を実現する、渦巻き液体流または渦巻き燃焼流のダンパー組合せ構造。
【請求項２】
凹型をしたダンパーは四角のＵ型またはＵ型をしていることを特徴とする請求項１記載の渦巻き液体流または渦巻き燃焼流のダンパー組合せ構造。
【請求項３】
凹型をしたダンパーは両手を伸ばした四角のＵ型または両手を伸ばした開口のＵ型をしていることを特徴とする請求項１記載の渦巻き液体流または渦巻き燃焼流のダンパー組合せ構造。
【請求項４】
凹型をしたダンパーは開口のＵ型または小さい開口のＵ型をしていることを特徴とする請求項１記載の渦巻き液体流または渦巻き燃焼流のダンパー組合せ構造。
【請求項５】
凹型をしたダンパーは両側が膨らんでいるＵ型をしていることを特徴とする請求項１記載の渦巻き液体流または渦巻き燃焼流のダンパー組合せ構造。
【請求項６】
凹型をしたダンパーは折返し式の開口Ｕ型をしていることを特徴とする請求項１記載の渦巻き液体流または渦巻き燃焼流のダンパー組合せ構造。
【請求項７】
凹型をしたダンパーは７型または斜７型をしていることを特徴とする請求項１記載の渦巻き液体流または渦巻き燃焼流のダンパー組合せ構造。
【請求項８】
燃焼塔のダンパーは複数の水管壁または水壁板またはダンパーを組み合わせて構成していることを特徴とする請求項１記載の渦巻き液体流または渦巻き燃焼流のダンパー組合せ構造。
【請求項９】
密閉した渦巻き液体流を形成することにより、静態撹拌機としていることを特徴とする請求項１記載の渦巻き液体流または渦巻き燃焼流のダンパー組合せ構造。
【請求項１０】
ダンパーを交叉し一体化した後のダンパーを平面、傾斜面または縦に取り付けたとき、多数の渦巻きによる集塵と油気分離機の働きを有し、平面または傾斜面に取付けたときは、渦巻き水流または液体流あるいは渦巻き燃焼流の働きを有することを特徴とする請求項１記載の渦巻き液体流または渦巻き燃焼流のダンパー組合せ構造。